(57)【要約】【課題】簡単な構造で、複数枚の伝票を重ねてなる機械印字用複写式伝票組またはその綴りにハンディターミナル等の小型プリンタで印字する場合でも印字位置不良や用紙詰まりの発生を防止することが可能な機械印字用複写式伝票組及びその綴りを提供する。【解決手段】重ね合わされた複数枚の伝票同士が、その搬送方向両側縁部にて所定の間隔で複数箇所例えば仮接着用接着剤により点止めすることにより仮接着されていることで、伝票同士がずれ難くなり、しかも点止めと点止めとの間が逃げになって湾曲させた場合でも皺が生じ難くなり、印字位置不良や用紙詰まりを生じ難くなる。また、上側の伝票に形成する複写カーボンを、上記点止め部分を除くように印刷により形成することで、点止め部分での接着が容易になり、伝票、伝票組またはその綴りの側辺に触れるなどしても汚れることがない。【選択図】図２
2008110615.tif 000002
【特許請求の範囲】
【請求項１】
複数枚の伝票を重ねてなり、１枚目の伝票に印字することにより複写カーボンを介して２枚目以降の伝票に前記１枚目の伝票片と同じ印字内容を複写するようになっている機械印字用複写式伝票組であって、
前記各伝票同士が、その搬送方向両側縁部にて所定の間隔で複数箇所点止めすることにより仮接着されていることを特徴とする機械印字用複写式伝票組。
【請求項２】
前記各点止めが、仮接着用接着剤により接着されたものからなることを特徴とする請求項１に記載の機械印字用複写式伝票組。
【請求項３】
前記複写カーボンが、前記各伝票の裏面側に前記点止め部分を除くように印刷により形成されていることを特徴とする請求項１または請求項２に記載の機械印字用複写式伝票組。
【請求項４】
前記伝票が、物品またはサービスの授受を行う際等に、当事者双方が、同様の内容を印字した一対の伝票を保管する取引に用いられるものであることを特徴とする請求項１乃至請求項３のいずれかに記載の機械印字用複写式伝票組。
【請求項５】
前記物品またはサービスの授受が、金銭、有価証券または物品を預かる処理であり、
前記当事者が預け主及び預かり手であり、
前記伝票が預かり伝票であることを特徴とする請求項４に記載の機械印字用複写式伝票組。
【請求項６】
印字するのがサーマルプリンタであることを特徴とする請求項１乃至請求項５のいずれかに記載の機械印字用複写式伝票組。
【請求項７】
請求項１乃至請求項６のいずれかに記載の機械印字用複写式伝票組を複数重ね、その前記搬送方向一端で綴ってなることを特徴とする機械印字用複写式伝票綴り。
【発明の詳細な説明】
【技術分野】
【０００１】
本発明は、１枚目の伝票に機械印字することにより、これに重ね合わせた２枚目以降の伝票に印字内容を複写する機械印字用複写式伝票組及びその綴りに関するものである。
【背景技術】
【０００２】
例えば銀行の行員など、金融機関の職員がその取引先などで預金通帳、現金、有価証券等を一時的に預かる場合、預かり伝票（預かり証）を発行するのが一般的である。その場合、預け主（取引先）と銀行側（預かり手）とが各々預かり伝票を保管するようになっており、従来は伝票を例えば複写用カーボンを介して複数枚重ねて組とし、機械印字または手書きにより複数枚の預かり伝票を組にして同時作成していた。
【０００３】
一方近年、携帯用端末、所謂ハンディターミナルにプリンタが付設されたものが普及しており、このハンディターミナルを用い、上記伝票に印字することが日常的に行われている。
【０００４】
また、預かり伝票の発行が頻繁になされる取引先には上記２枚の複写式預かり伝票の組が多数綴りになった預かり伝票綴りを予め渡しておき、預かり伝票の発行時、取引先は綴り本体に綴られたまま切り離さない一方の預かり伝票を保管し、銀行側は綴り本体と切り離す他方の預かり伝票を保管することも日常的に行われている。
【発明の開示】
【発明が解決しようとする課題】
【０００５】
しかしながら、上記複写式の伝票組に機械印字する場合、プリンタの給紙機構の構造によっては重ね合わせた伝票がずれて一部または全体が斜行したり、撓むまたは皺が発生するなどして、各伝票の印字位置がずれたり用紙詰まりを起こし易いという問題がある。
【０００６】
例えば、ハンディターミナルに付設されたプリンタは、例えばサーマルヘッド等の印字ヘッドとプラテンとの間に用紙を挟むようにして印字するのが一般的であり、その際、印字ヘッドの押圧力を印字時と搬送時に変えることは装置の大型化・重量化を伴うため通常は行っておらず、常に一定の力で印字ヘッドを用紙に押圧している。従って、その力に抗して用紙を搬送する必要があるため、例えばプラテンに用紙を密着させるべくピンチローラを設けるものもあるが、これも小型化・軽量化を目的として省略されることが多く、用紙のプラテンへの巻き付き角（巻き付いている長さ）を大きくしてプラテンに密着させる構造が多く採用されている。この構造では用紙を幅方向にガイドしておけば用紙が湾曲することにより搬送方向に沿う縦皺が生じ難いように腰が出て斜行し難くなる利点も得られる。
【０００７】
ところが、上記ハンディターミナルに付設されたプリンタはプラテンの半径が小さいため、大きな曲率で用紙を湾曲させなければならず、紙の種類によってはその腰により用紙始端等が引掛かり、用紙詰まりを起こし易い。
【０００８】
また、上記預かり伝票組等は或る程度印字したら確認のサインなどをし、戻して再度印字することがあり、この給紙側に伝票組を戻すバックフィードはプリンタの通常動作ではないことから一層用紙詰まりを起こし易い。更に伝票綴りの場合、綴られた側と相反する側からプリンタに給紙し、印字後にバックフィードして排紙することからそのバックフィード時に用紙詰まりを起こし易い。
【０００９】
また、複数枚重なった複写式の伝票組の場合、湾曲させる際に、湾曲する内側の伝票と外側の伝票との間で、紙の厚み分だけ曲率半径が異なることにより相対的な位置ずれが生じるため、例えば重ねた伝票の搬送方向始端のみを止めておくと徐々に印字位置がずれる、即ち印字位置不良が生じるという問題がある。
【００１０】
そこで、伝票全体または搬送方向の両側縁部を予め仮止めして重ね合わせた伝票がずれないようにしておくことが考えられるが、あまりリジッドに両伝票を位置決めすると、湾曲させる際に、湾曲する内側の伝票と外側の伝票との間で、伝票の厚み分だけ曲率半径が異なることにより生じる相対的な位置ずれを吸収できずに皺が発生し、または伝票組の腰が強すぎて搬送路への追従性が悪くなり、今度はこれらを原因とする斜行・用紙詰まり等を起こし易くなる。
【００１１】
また、上記したような複写式伝票組の上側の伝票を作成する場合、通常は大きな用紙の裏面に転写カーボンを設けたものを裁断して形成することから、伝票全体または搬送方向の両側縁部にも転写カーボンが設けられており、この転写カーボンが邪魔になり、この構造のままでは接着剤等で搬送方向の両側縁部を予め仮止めしておくことは困難であるという問題もある。
【００１２】
尚、上記した問題は銀行等の金融機関で取り扱う預かり伝票に限らず、クリーニング店のように通常の物品を預かる場合でも同様に生じるものである。また、各種サービス、物品の授受に際して当事者双方が同様な内容の伝票を保管する形式の伝票等でも同様である。
【００１３】
本発明は、上記したような従来技術の問題点を解決するべく案出されたものであり、簡単な構造で、複数枚の伝票を重ねてなる機械印字用複写式伝票組またはその綴りにハンディターミナル等の小型プリンタで印字する場合でも印字位置不良や用紙詰まりの発生を防止することが可能な機械印字用複写式伝票組及びその綴りを提供することを目的とする。
【課題を解決するための手段】
【００１４】
上記した目的を達成するべく、本発明では、複数枚の伝票を重ねてなり、１枚目の伝票に印字することにより複写カーボンを介して２枚目以降の伝票に前記１枚目の伝票片と同じ印字内容を複写するようになっている機械印字用複写式伝票組であって、前記各伝票同士が、その搬送方向両側縁部にて所定の間隔で複数箇所点止めすることにより仮接着されていることを特徴とする機械印字用複写式伝票組及びその搬送方向一端を綴った伝票綴りを提供する。特に、前記複写カーボンが、前記各伝票の裏面側に前記点止め部分を除くように印刷により形成されていると良い。
【発明の効果】
【００１５】
上記した説明により明らかなように、本発明による機械印字用複写式伝票組及びその綴りによれば、重ね合わされた複数枚の伝票同士が、その搬送方向両側縁部にて所定の間隔で複数箇所例えば仮接着用接着剤により点止めすることにより仮接着されていることで、伝票同士がずれ難くなり、しかも点止めと点止めとの間が逃げになって湾曲させた場合でも皺が生じ難くなる。従って、ハンディターミナル等の小型プリンタで印字する場合でも印字位置不良や用紙詰まりを生じ難くなる。また、上側の伝票に形成する複写カーボンを、上記点止め部分を除くように印刷により形成することで、点止め部分での接着が容易になり、伝票、伝票組またはその綴りの側辺に触れるなどしても汚れることがない。加えて、この印刷による複写カーボンは伝票に手書きした場合に通常のカーボンに比較して鮮明に２枚目以降の伝票に転写されるという効果もある。
【発明を実施するための最良の形態】
【００１６】
以下に、本発明の好適な実施形態について添付の図面を参照して詳細に説明する。
【００１７】
図１は、本発明が適用された機械印字用複写式伝票組（預かり伝票組）綴りとしての取引先（預け主）側が保管するための銀行用取次帳１を示す斜視図である。この銀行用取次帳１は図示されないハンディターミナルに付設されたサーマルプリンタで印字することを想定したものである。銀行用取次帳１には多数の機械印字用複写式伝票組としての預かり伝票組２がその一片（搬送方向一端）で綴じ代１ｃにて綴じられている。
【００１８】
図２は、預かり伝票組２の表面を示す平面図、図３は、そのＩＩＩ−ＩＩＩ線について見た拡大断面図である。預かり伝票組２は、銀行（預かり手）保管用預かり伝票３及び取引先（預け主）保管用預かり伝票４の２枚の預かり伝票から構成されている。図３に併せて示すように、これら預かり伝票３と預かり伝票４とは、その搬送方向両側縁部３ａ（４ａ）、３ｂ（４ｂ）にて例えば１２．５ｍｍ程度の所定の間隔Ｌで設けられた多数の点止め部５にて仮止め用接着剤６をもって点止めされている。
【００１９】
ここで、点止めの間隔Ｌは広すぎると印字位置不良や皺が発生し、狭すぎると横皺が発生し易くなると共に伝票組の腰が強くなりすぎて搬送路への追従性が悪くなり、用紙詰まりを発生する。従って、例えば幅８０ｍｍ程度で各伝票の厚みが０．１ｍｍ程度の伝票組の場合、点止めの間隔Ｌは１０ｍｍ〜１５ｍｍの範囲が望ましい。実際には幅が広くなれば間隔Ｌを短くすると良く、各伝票の厚みが増す場合も間隔Ｌを短くすると良い。
【００２０】
一方、図４に示すように、預かり伝票３の裏面３ｃには複写カーボンとしてのサーマルカーボン部７が設けられている。このサーマルカーボン部７は裏面３ｃの他の印刷工程と同じ工程で印刷することができ、別途印刷工程が増えるわけではない。また、サーマルカーボン部７を印刷により形成することで、伝票３の搬送方向両側縁部３ａ、３ｂの点止め部５が設けられる部分にはサーマルカーボン部７を形成しないようにできている。そのため、点止め部５での接着が容易になっている。更に、伝票３の搬送方向両側縁部３ａ、３ｂにサーマルカーボン部７を形成しないことで、伝票３、４からなる組２を綴じて銀行用取次帳１としたときにその側辺１ｂ、即ち伝票３の搬送方向両側縁部３ａ、３ｂに触れるなどしても汚れることがない。加えて、サーマルカーボン部７を印刷により形成すると、伝票３に手書きした場合に通常のサーマルカーボンに比較して鮮明に伝票４に転写されるという副次的な効果もある。
【００２１】
上記銀行用取次帳１の使用手順について説明する。この銀行用取次帳は、各取引先が保管しているものとする。まず、金銭、有価証券、通帳等を預かる際、その内容を図示されないハンディターミナルの入力部から入力する。そして、銀行用取次帳１の最も表表紙（図示せず）側の伝票組２を、その伝票４の表面を印字面として図示されないプリンタにその搬送方向始端２ａ側から挿入してセットし、印字する。そして、印字後バックフィードして伝票組２をプリンタから排紙し、各点止め部５で仮接着された銀行保管用預かり伝票３を取引先保管用預かり伝票４から各伝票を傷つけることなく剥がすと共にミシン目３ｄから切り離す。
【００２２】
尚、上記構成では本発明を銀行取次帳に適用した例について説明したが、これに限定されず、クリーニングの預かり伝票等、金銭、有価証券または物品を預かる際に用いるいかなる預かり伝票組、或いは上記各構成以外に当事者双方に保管される納品伝票とその控え、介護サービス等の行使を確認するための伝票など、複写の必要な伝票組等に同様に適用可能であることは云うまでもない。また、伝票組を綴りとせず、上記同様な伝票組を単独で使用することもできる。その場合、上記印字後、排出のためのバックフィードは必要なく、そのまま順方向に排出すれば良い。
【図面の簡単な説明】
【００２３】
【図１】本発明が適用された機械印字用複写式伝票組綴りとしての取引先側が保管するための銀行用取次帳を示す斜視図。
【図２】図１の預かり伝票組の表面を示す平面図。
【図３】図２のＩＩＩ−ＩＩＩ線について見た拡大断面図。
【図４】図１の預かり伝票組の上側の預かり伝票の裏面を示す図。
【符号の説明】
【００２４】
１  銀行用取次帳
１ａ  綴じ代
１ｂ  側辺
２  預かり伝票組
３  銀行（預かり手）保管用預かり伝票
３ａ、３ｂ  搬送方向両側縁部
３ｃ  裏面
３ｄ  ミシン目
４  取引先（預け主）保管用預かり伝票
４ａ、４ｂ  搬送方向両側縁部
５  点止め部
６  仮止め用接着剤
７  サーマルカーボン部
【図１】
2008110615.tif 000003
【図２】
2008110615.tif 000004
【図３】
2008110615.tif 000005
【図４】
2008110615.tif 000006